(57)【要約】【課題】撮影装置に設けられた様々な部材を効率的に清掃でき、かつ粘着性部材を確実に保護する撮影装置用清掃器具を提供する。【解決手段】清掃器具１０は、粘着性部材１２、本体部１４、第１および第２の突起部１６、２６を含む。粘着性部材１２の先端には、異物を粘着させるための粘着面１２Ｓが設けられている。粘着面１２Ｓは、円弧領域１２Ｃと矩形領域１２Ｒを含む。第２の突起部２６は、粘着面１２Ｓに平行な板状部材であり、粘着性部材１２よりも本体部１４の径方向に突出している。保護キャップ１８の先端面１８Ｓと、第２の突起部２６の輪郭２６Ｏは、粘着面１２Ｓの相似形であって粘着面１２Ｓと同じ形状を有する。従って、清掃器具１０の使用時に保護キャップ１８が第２の突起部２６に取付けられると、保護キャップ１８により、粘着面１２Ｓの形状と向きとが本体部１４の後端側に示される。【選択図】図６
2008020804.tif 000002
【特許請求の範囲】
【請求項１】
撮影装置の被清掃面上にある異物を除去する撮影装置用清掃器具であって、
前記異物を粘着させる粘着面を有する粘着性部材と、
前記粘着性部材が先端に取付けられている本体部と、
前記粘着性部材を覆うための保護部材とを備え、
前記粘着面が円形以外の形状を有し、前記粘着性部材を覆う所定の位置にある前記保護部材の輪郭の形状と向きが、前記粘着面の形状と向きとそれぞれ同じであることを特徴とする撮影装置用清掃器具。
【請求項２】
前記粘着面が、円弧状の輪郭を含む円弧領域と矩形状の矩形領域とを有することを特徴とする請求項１に記載の撮影装置用清掃器具。
【請求項３】
前記本体部から、前記本体部の径方向に前記粘着性部材よりも突出している突起部であって、前記粘着性部材の近傍に設けられた第１の突起部をさらに有し、前記保護部材が前記粘着性部材を覆うように前記第１の突起部に着脱自在に取付けられることを特徴とする請求項１に記載の撮影装置用清掃器具。
【請求項４】
前記第１の突起部の輪郭の形状が、前記粘着面の形状と同じであることを特徴とする請求項３に記載の撮影装置用清掃器具。
【請求項５】
前記本体部における前記粘着性部材側とは反対側の端部に設けられた第２の突起部をさらに有し、前記保護部材が前記第２の突起部に着脱自在に取付けられることを特徴とする請求項３に記載の撮影装置用清掃器具。
【請求項６】
前記保護部材の輪郭の形状と向きが、前記粘着面の形状と向きとそれぞれ同じであるように、前記保護部材が前記第２の突起部に取付けられることを特徴とする請求項５に記載の撮影装置用清掃器具。
【請求項７】
前記第２の突起部の輪郭の形状が、前記粘着面の形状と同じであることを特徴とする請求項５に記載の撮影装置用清掃器具。
【請求項８】
前記第１の突起部が、前記本体部における前記粘着性部材側とは反対側の端部まで、前記本体部に沿って移動可能であることを特徴とする請求項３に記載の撮影装置用清掃器具。
【請求項９】
前記保護部材の輪郭の形状と向きが、前記粘着面の形状と向きとそれぞれ同じであるように、前記保護部材が前記第１の突起部に取付けられることを特徴とする請求項８に記載の撮影装置用清掃器具。
【請求項１０】
前記本体部の表面に係合溝が設けられており、前記第１の突起部が、前記係合溝に係合する係合部を有することを特徴とする請求項８に記載の撮影装置用清掃器具。
【請求項１１】
撮影装置の被清掃面上にある異物を除去する撮影装置用清掃器具であって、
前記異物を粘着させる粘着面を有する粘着性部材と、
前記粘着性部材が先端に取付けられている本体部と、
前記本体部から、前記本体部の径方向に前記粘着性部材よりも突出している突起部とを備え、
前記粘着面が円形以外の形状を有し、前記突起部の輪郭の形状が前記粘着面の形状と同じであることを特徴とする撮影装置用清掃器具。
【発明の詳細な説明】
【技術分野】
【０００１】
本発明は、撮影装置用清掃器具に関し、特に、レンズ交換式デジタルカメラ等の部材に付着する異物を取り除く清掃器具に関する。
【背景技術】
【０００２】
近年、レンズ交換式のデジタルカメラが普及しつつある。レンズ交換式デジタルカメラにおいては、レンズ交換等により混入する埃などの異物が、内蔵された撮像素子の表面に付着する場合がある。このため、異物が撮像素子に付着することによる画質の低下を防ぐために、撮像素子表面から異物を取り除くことが必要とされる。また、デジタルカメラ等の撮影装置においては、ファインダ、接眼レンズ等の清掃が必要となることもある。
【０００３】
一方、精密機械、電子部品等の清掃のために用いられる掃除具であって、被清掃面上にある異物を粘着させる粘着性部材を取付けた掃除具が知られている（例えば特許文献１〜６）。
【特許文献１】特開２００５−３３４５２５号公報
【特許文献２】特開２００６−１３４号公報
【特許文献３】特開２００６−６６９０号公報
【特許文献４】登録実用新案第３０２２８４３号公報
【特許文献５】登録実用新案第３０４２０１４号公報
【特許文献６】実開平６−６３１８３号公報
【発明の開示】
【発明が解決しようとする課題】
【０００４】
粘着性部材を用いた従来の掃除具は、必ずしもデジタルカメラ等の撮影装置の清掃を前提としていないため、通常、撮像素子等の清掃には適してはいない。例えば、円柱形の粘着性部材を用いる場合、撮像素子等、矩形状の被清掃面の清掃には不適当である。また、撮像素子等の清掃に用いることを前提として掃除具等を用意する場合であっても、撮像素子等とは形状の異なる円形のファインダ窓、接眼レンズ等については、清掃作業が困難である。特にレンズ交換式カメラの場合、撮像素子がカメラ本体の奥に位置しているため、掃除具の使用中は清掃部位が視認できず、清掃作業が困難であるという問題がある。
【０００５】
そして、粘着性部材による掃除具においては、粘着性部材の粘着性低下等が問題となる。特に、粘着性部材は露出した状態で使用されることから、清掃の作業中に掃除具が作業台の上等に置かれ、回転すると、粘着性部材には台上の埃等の異物が多く付着し、粘着性が大幅に低下してしまうおそれがある。さらにこの場合、粘着性部材に付着した異物が被清掃面に付着してしまい、却って清掃に悪影響を及ぼす可能性もある。
【０００６】
本発明は、撮影装置に設けられた様々な部材を効率的に清掃でき、かつ粘着性部材を確実に保護する撮影装置用清掃器具を提供することを目的とする。
【課題を解決するための手段】
【０００７】
本発明の第１の清掃器具は、撮影装置の被清掃面上にある異物を除去する撮影装置用清掃器具であって、異物を粘着させる粘着面を有する粘着性部材と、粘着性部材が先端に取付けられている本体部と、粘着性部材を覆うための保護部材とを備え、粘着面が円形以外の形状を有し、粘着性部材を覆う所定の位置にある保護部材の輪郭の形状と向きが、粘着面の形状と向きとそれぞれ同じであることを特徴とする。粘着面は、円弧状の輪郭を含む円弧領域と矩形状の矩形領域とを有することが好ましい。
【０００８】
第１の清掃器具は、本体部から、本体部の径方向に粘着性部材よりも突出している突起部であって、粘着性部材の近傍に設けられた第１の突起部をさらに有し、保護部材が粘着性部材を覆うように第１の突起部に着脱自在に取付けられることが好ましい。そしてこの場合、第１の突起部の輪郭の形状が、粘着面の形状と同じであることがより好ましい。
【０００９】
第１の清掃器具は、本体部における粘着性部材側とは反対側の端部に設けられた第２の突起部をさらに有し、保護部材が第２の突起部に着脱自在に取付けられることが好ましい。そしてこの場合、保護部材の輪郭の形状と向きが、粘着面の形状と向きとそれぞれ同じであるように、保護部材が第２の突起部に取付けられることがより好ましい。また、第２の突起部の輪郭の形状が、粘着面の形状と同じであることが好ましい。
【００１０】
第１の突起部は、本体部における粘着性部材側とは反対側の端部まで、本体部に沿って移動可能であることが望ましい。そしてこの場合、保護部材の輪郭の形状と向きが、粘着面の形状と向きとそれぞれ同じであるように、保護部材が第１の突起部に取付けられることがより望ましい。また、本体部の表面に係合溝が設けられており、第１の突起部が、係合溝に係合する係合部を有することが望ましい。
【００１１】
本発明の第２の清掃器具は、撮影装置の被清掃面上にある異物を除去する撮影装置用清掃器具であって、異物を粘着させる粘着面を有する粘着性部材と、粘着性部材が先端に取付けられている本体部と、本体部から、本体部の径方向に粘着性部材よりも突出している突起部とを備え、粘着面が円形以外の形状を有し、突起部の輪郭の形状が粘着面の形状と同じであることを特徴とする。
【発明の効果】
【００１２】
本発明によれば、撮影装置に設けられた様々な部材を効率的に清掃でき、かつ粘着性部材を確実に保護する撮影装置用清掃器具を実現できる。
【発明を実施するための最良の形態】
【００１３】
以下、本発明の実施形態を、図面を参照して説明する。図１は、第１の実施形態の清掃器具を示す正面図、側面図および背面図である。図２は、本実施形態の清掃器具を示す斜視図である。図３は、保護キャップが取付けられた状態の本実施形態における清掃器具を示す正面図、側面図および背面図である。
【００１４】
清掃器具１０は、撮像素子、ローパスフィルタ、保護フィルタの受光面、ファインダ、接眼レンズ等（いずれも図示せず）の撮影装置の部材に付着した埃などの異物を除去し、撮像素子等を清掃するために使用される。清掃器具１０は、ブチルゴムで形成され、異物を粘着させる粘着性部材１２と、樹脂等で形成された細長い円柱形の本体部１４とを含む。粘着性部材１２は、本体部１４の先端面１４Ｆに取付けられている（図１（ｂ）の側面図および図２参照）。粘着性部材１２は、本体部１４と同一の中心軸を有する円柱形である。
【００１５】
粘着性部材１２の先端には、異物を粘着させるための粘着面１２Ｓが設けられている。粘着面１２Ｓは、矢印Ａの示す本体部１４が延びる方向に対して垂直であり、円弧状の輪郭を含む円弧領域１２Ｃと、円弧領域１２Ｃに隣接する矩形状の矩形領域１２Ｒとを含む（図１（ａ）の正面図および図２参照）。円弧領域１２Ｃは半円状であり、粘着面１２Ｓは、円弧領域１２Ｃの輪郭における直線部分と、矩形領域１２Ｒの一辺とが一致（図中の破線）する形状を有する。
【００１６】
また、粘着性部材１２の近傍には、本体部１４の径方向に粘着性部材１２よりも突出している第１の突起部１６が設けられている。第１の突起部１６は、矢印Ａの示す本体部１４が延びる方向に対して垂直であり、粘着面１２Ｓと平行な板状部材である。第１の突起部１６の輪郭１６Ｏは、粘着面１２Ｓの相似形である（図１（ａ）の正面図と図１（ｃ）の背面図参照）。すなわち第１の突起部１６においては、輪郭１６Ｏが粘着面１２Ｓと同じ形状を有する。
【００１７】
清掃器具１０には、粘着性部材１２を覆い、保護するための保護キャップ１８（保護部材）が含まれる（図３参照）。保護キャップ１８は、第１の突起部１６に着脱自在に取付けられ、清掃器具１０の使用時には第１の突起部１６から取外される。保護キャップ１８は、半透明な樹脂で形成されており、第１の突起部１６に取付けられた保護キャップ１８により覆われた粘着性部材１２は外部から視認できる（図３（ａ）の正面図および図３（ｂ）の側面図参照）。
【００１８】
図４は、清掃器具１０による清掃の対象となるデジタル一眼レフカメラを示す正面図である。
【００１９】
清掃器具１０は、例えばデジタル一眼レフカメラ（撮影装置）３０の撮像素子ユニットに設けられたローパスフィルタ（以下、ＬＰＦという）３２の清掃に用いられる。この場合、被清掃面であるＬＰＦ３２の表面３２Ｓは矩形状であるので、ＬＰＦ表面３２Ｓの周辺部の清掃においては粘着面１２Ｓの矩形領域１２Ｒが用いられる。
【００２０】
一方、例えばデジタル一眼レフカメラ３０に設けられた円形のファインダ窓（図示せず）の清掃においては、粘着面１２Ｓの円弧領域１２Ｃが主に使用される。以上のように、粘着面１２Ｓにおいて用いられる領域を使い分けることにより、効率的な清掃動作が可能となる。
【００２１】
さらに、清掃器具１０の使用時に本体部１４を保持するユーザは、ＬＰＦ表面３２Ｓ等の被清掃面の周辺が暗いにも関わらず、粘着面１２Ｓと同じ形状の輪郭１６Ｏを有し、本体部１４の径方向において粘着面１２Ｓよりも大きい第１の突起部１６を視認することにより、粘着性部材１２の向きを容易に把握できる。従って、粘着面１２Ｓを清掃に適した位置および向きで被清掃面に押し当てる操作は容易である。
【００２２】
以上のように本実施形態によれば、円弧領域１２Ｃと矩形領域１２Ｒとを有し、輪郭が円形の従来の粘着面とは異なる形状の粘着面１２Ｓを設け、さらに第１の突起部１６において粘着面１２Ｓの形状と向きを示すことにより、清掃器具１０は操作性に優れ、デジタル一眼レフカメラ３０に設けられた様々な部材を効率的に清掃できる。また、保護キャップ１８により、粘着性部材１２を保護し、清掃の対象である異物以外の物の付着による粘着性部材１２の粘着性低下を防止できる。
【００２３】
さらに、粘着性部材１２の近傍に、本体部１４の径方向に粘着性部材１２よりも突出した第１の突起部１６を設けることにより、保護キャップ１８が取り外れている使用中の清掃器具１０が作業台等の上に置かれた場合にあっても、粘着性部材１２が作業台等に接触し、台上の異物が付着することが防止される。
【００２４】
以下、第２の実施形態につき、第１に実施形態との相違点を中心に説明する。図５は、保護キャップ１８が本体部１４の先端部に取付けられた状態における第２の実施形態の清掃器具１０を示す正面図、側面図および背面図である。図６は、保護キャップ１８が本体部１４の後端部に取付けられた状態における本実施形態の清掃器具１０を示す正面図、側面図および背面図である。
【００２５】
本実施形態は、本体部１４の後端部、すなわち本体部１４における粘着性部材１２側とは反対側に、第２の突起部２６が設けられている点が第１の実施形態と異なる。第２の突起部２６は、第１の突起部１６と同じ形状を有する。すなわち第２の突起部２６は、第１の突起部１６と同様に粘着面１２Ｓに平行な板状部材であり、粘着性部材１２よりも本体部１４の径方向に突出している。従って、第２の突起部２６の輪郭２６Ｏは、粘着面１２Ｓの相似形であって粘着面１２Ｓと同じ形状を有する（図５（ａ）の正面図および図５（ｃ）の背面図参照）。
【００２６】
第２の突起部２６には、保護キャップ１８が着脱自在に取付け可能であり、保護キャップ１８は、清掃器具１０の使用時に第２の突起部２６に取付けられる（図６参照）。保護キャップ１８には、第１もしくは第２の突起部１６、２６に取付けられたときに粘着面１２Ｓと平行になる先端面１８Ｓが設けられている。
【００２７】
先端面１８Ｓは、第１および第２の突起部１６、２６の輪郭１６Ｏ、２６Ｏと同様に粘着面１２Ｓの相似形であり、これらはいずれも同一の形状を有している。また、保護キャップ１８には、第１および第２の突起部１６、２６が嵌合するための開口１８Ｍが設けられている（図６（ｂ）の側面図参照）。開口１８Ｍは、保護キャップ１８の端部１８Ｅによって囲まれており、端部１８Ｅの輪郭も、第１および第２の突起部１６、２６の輪郭１６Ｏ、２６Ｏと同じ形状を有する。
【００２８】
以上のことから明らかであるように、保護キャップ１８は、所定の方向を向くように、すなわち、本体部１４の中心軸を中心として回転することなく、第１もしくは第２の突起部１６、２６に取付けられる。そして保護キャップ１８は、先端面１８Ｓと粘着面１２Ｓとが同じ方向を向くように、すなわち保護キャップ１８の底面１８Ｂと粘着面１２Ｓの直線１２Ｌとが平行であるように、第１もしくは第２の突起部１６、２６に取付けられる（図５（ａ）の正面図、図５（ｃ）の背面図、図６（ａ）の正面図および図６（ｃ）の背面図参照）。
【００２９】
このように、清掃器具１０の使用時においては、保護キャップ１８の先端面１８Ｓの形状と向き、すなわち本体部１４の延びる方向における保護キャップ１８の輪郭の形状と向きが、粘着面１２Ｓの形状と向きとそれぞれ同じとなるように、保護キャップ１８が第２の突起部２６に取付けられる。
【００３０】
以上のように本実施形態によれば、粘着性部材１２の形状と向きを示すように本体部１４の後端部側に保護キャップ１８を取付け可能とすることにより、円弧領域１２Ｃと矩形領域１２Ｒとを有する粘着面１２Ｓの形状と向きが、被清掃面の周囲が暗い場合にあっても、清掃器具１０を使用中のユーザにより容易に把握される。このとき、本体部１４の後端部側、すなわち清掃器具１０を操作するユーザにとっての手前側において粘着性部材１２の形状と向きが示されるため、本実施形態の清掃器具１０は、第１の実施形態に比べてより操作性に優れている。
【００３１】
以下、第３の実施形態につき、これまでの実施形態との相違点を中心に説明する。図７は、第１の突起部１６が本体部１４の先端部側にある状態における第３の実施形態の清掃器具１０を示す側面図である。図８は、図７のVIII−VIII線に沿った本実施形態の本体部１４と第１の突起部１６の断面図である。図９は、第１の突起部１６が移動している状態における本実施形態の清掃器具１０を示す側面図である。図１０は、第１の突起部１６が本体部１４の後端部側にある状態における本実施形態の清掃器具１０を示す側面図である。
【００３２】
本実施形態は、第１の突起部１６が本体部１４に沿って移動可能であり、第２の突起部２６が設けられていない点等がこれまでの実施形態と異なる。第１の突起部１６は、本体部１４の先端部側であって粘着性部材１２の近傍にある位置（以下、第１の位置という）と、本体部１４の後端部の位置（以下、第２の位置という）との間で移動可能である。本体部１４の後端部には、第１の突起部１６が本体部１４から脱離することを防止するためのストッパ２０が設けられている。
【００３３】
本体部１４の側面１４Ｓにおいては、第１の突起部１６が係合するための係合溝１４Ｇが設けられており、第１の突起部１６の内面１６Ｉには、係合部１６Ｐが設けられている（図８参照）。第１の突起部１６は、矢印Ｂの示すように、ユーザの操作によって実線で示す第１の位置と、破線で示す第２の位置との間で移動される（図９参照）。そして第１の突起部１６は、係合部１６Ｐを含む内面１６Ｉと、係合溝１４Ｇを含む側面１４Ｓとの間で生じる適度な摩擦力により所定の位置で保持されるため、外力が加えられない限り移動しない。
【００３４】
本実施形態においても、後述するように保護キャップ１８が用いられる。そして清掃器具１０が使用されないときには、第１の突起部１６は第１の位置にあり、清掃器具１０の使用時においては、第１の突起部１６は第２の位置に移動される（図１０参照）。
【００３５】
図１１は、第１の突起部１６が第１の位置にある状態における本実施形態の清掃器具１０を示す側面図である。図１２は、第１の突起部１６が第２の位置にある状態における本実施形態の清掃器具１０を示す側面図である。
【００３６】
清掃器具１０が使用されていないとき、保護キャップ１８は、図１１に示されるように、第１の位置にある第１の突起部１６に取付けられ、粘着性部材１２を覆っている。このため、粘着性部材１２が保護される。一方、清掃器具１０の使用時においては、まず保護キャップ１８が第１の突起部１６から取外され、第１の突起部１６が第２の位置まで移動される。そして保護キャップ１８は、第２の位置にある第１の突起部１６に取付けられる（図１２参照）。
【００３７】
この状態で清掃器具１０が使用されると、粘着面１２Ｓの形状と向きとが、ストッパ２０のある本体部１４の後端部側にある保護キャップ１８により示される。これは、第１の突起部１６および保護キャップ１８が第２の実施形態と同様の形状を有しており、第２の位置にある第１の突起部１６に取付けられた保護キャップ１８の輪郭の形状と向きが、粘着面１２Ｓの形状と向きとそれぞれ同じだからである。このように、被清掃面および粘着性部材１２が暗部にあって直接視認できない状態においても、粘着面１２Ｓの形状と向きとが、ユーザにより容易に把握できる。
【００３８】
以上のように本実施形態によれば、本体部１４に沿って移動可能な単一の突起部１６を設けることにより、清掃器具１０は、簡素化された構造を有するとともに操作性に優れている。
【００３９】
なお、第１の突起部１６が、本体部１４に沿って移動可能であり、かつ本体部１４の側面１４Ｓとの適度な摩擦力により所定の位置で保持される限り、溝を第１の突起部１６側に設け、係合部を本体部側面１４Ｓ側に設けても良く、係合溝１４Ｇと係合部１６Ｐとが設けられていなくても良い。
【００４０】
図１３は、従来例の清掃器具を示す正面図、側面図および背面図である。
【００４１】
従来例の清掃器具４０においては、円柱形の粘着性部材２２が本体部２４に取付けられている。従って、粘着面２２Ｓは円形であり（図１３（ａ）の正面図および図１３（ｃ）の背面図参照）、矩形状のＬＰＦ表面３２Ｓ（図４参照）の周辺部等を清掃する場合においては、上述の各実施形態における清掃器具１０とは異なり、異物を除去する操作は困難である。
【００４２】
また、保護キャップおよび粘着性部材２２よりも本体部２４の径方向に突出した突起部が設けられていないことから、従来例の清掃器具４０においては、粘着性部材２２を保護することはできず、粘着性部材２２の粘着性が速やかに低下するおそれがある。なお、従来例の清掃器具４０においては、粘着面２２Ｓが円形であり、本体部２４の回転に関わらず粘着面２２Ｓの形状と向きとは常に一定であることから、粘着面２２Ｓの形状と向きと本体部２４の後端部側で示すことは有意義ではない。
【００４３】
粘着性部材１２、本体部１４、第１、第２の突起部１６、２６および保護キャップ１８の形状、材質等は、上述のいずれの実施形態にも限定されない。例えば、粘着面１２Ｓにおいて、円弧領域１２Ｃは半円、四分円以外の扇形、もしくは楕円弧の一部等であっても良い。矩形領域１２Ｒについても、正方形、もしくは互いに直交する２辺を有する四角形等であっても良い。矩形領域１２Ｒの辺が、円弧領域１２Ｃの輪郭における直線部分の一部とだけ重なり合っていても良い。
【００４４】
粘着面１２Ｓの形状は、第１の突起部１６、もしくは突起部に取付けられた保護キャップ１８により粘着面１２Ｓの形状と向きが示されるように、線対称形であることが好ましいが、これには限定されない。第１、第２の突起部１６、２６および保護キャップ１８の形状についても同様である。
【００４５】
また、例えば、第１の実施形態における第１の突起部１６の位置を、本体部１４の中心付近までずらし、ユーザによる視認性を向上させても良い。粘着性部材１２は、ブチルゴムの他、粘着性を有するウレタン系樹脂、あるいはスチレンゴム系樹脂等で形成されていても良い。
【図面の簡単な説明】
【００４６】
【図１】第１の実施形態の清掃器具を示す正面図、側面図および背面図である。
【図２】第１の実施形態の清掃器具を示す斜視図である。
【図３】保護キャップが取付けられた状態の第１の実施形態における清掃器具を示す正面図、側面図および背面図である。
【図４】清掃器具による清掃の対象となるデジタル一眼レフカメラを示す正面図である。
【図５】保護キャップが本体部の先端部に取付けられた状態における第２の実施形態の清掃器具を示す正面図、側面図および背面図である。
【図６】保護キャップが本体部の後端部に取付けられた状態における第２の実施形態の清掃器具を示す正面図、側面図および背面図である。
【図７】第１の突起部が本体部の先端部側にある状態における第３の実施形態の清掃器具を示す側面図である。
【図８】図７のVIII−VIII線に沿った第３の実施形態の本体部と第１の突起部の断面図である。
【図９】第１の突起部が移動している状態における第３の実施形態の清掃器具を示す側面図である。
【図１０】第１の突起部が本体部の後端部側にある状態における第３の実施形態の清掃器具１０を示す側面図である。
【図１１】第１の突起部が第１の位置にある状態における第３の実施形態の清掃器具を示す側面図である。
【図１２】第１の突起部が第２の位置にある状態における第３の実施形態の清掃器具を示す側面図である。
【図１３】従来例の清掃器具を示す正面図、側面図および背面図である。
【符号の説明】
【００４７】
１０  清掃器具（撮影装置用清掃器具）
１２  粘着性部材
１２Ｃ  円弧領域
１２Ｒ  矩形領域
１２Ｓ  粘着面
１４  本体部
１４Ｇ  係合溝
１６  第１の突起部（突起部）
１６Ｐ  係合部
１８  保護キャップ（保護部材）
２６  第２の突起部（突起部）
３０  デジタル一眼レフカメラ（撮影装置）
３２Ｓ  ＬＰＦ表面（被清掃面）
【図１】
2008020804.tif 000003
【図２】
2008020804.tif 000004
【図３】
2008020804.tif 000005
【図４】
2008020804.tif 000006
【図５】
2008020804.tif 000007
【図６】
2008020804.tif 000008
【図７】
2008020804.tif 000009
【図８】
2008020804.tif 000010
【図９】
2008020804.tif 000011
【図１０】
2008020804.tif 000012
【図１１】
2008020804.tif 000013
【図１２】
2008020804.tif 000014
【図１３】
2008020804.tif 000015